【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
方法であって、以下：
共通の容器内で互いから隔離されて維持されている、第一の流体および第二の流体を提供する工程；
該第一の流体および該第二の流体を、連続して、該容器から、所定の化学反応または生化学反応を実施するための反応部位に移動させる工程；ならびに
少なくとも、該第一の流体および該第二の流体が該反応部位に適用されるまで、該第一の流体と該第二の流体との間の接触を回避する工程、
を包含する、方法。
【請求項２】
前記容器を、前記反応部位を備えるデバイスに接続する工程をさらに包含する、請求項１に記載の方法。
【請求項３】
前記容器と前記反応部位とが、流体連絡している、請求項１に記載の方法。
【請求項４】
前記容器および前記反応部位が、共通のプラットフォーム上にある、請求項３に記載の方法。
【請求項５】
前記容器と前記反応部位とが、一体的に接続される、請求項３に記載の方法。
【請求項６】
前記容器が管を備える、請求項１に記載の方法。
【請求項７】
前記反応部位にわたって圧力差を適用する工程をさらに包含する、請求項１に記載の方法。
【請求項８】
前記圧力差が、前記反応部位の下流側を吸引することによって提供される、請求項７に記載の方法。
【請求項９】
前記圧力差が、前記反応部位の上流側をポンプでくみ上げることによって提供される、請求項１に記載の方法。
【請求項１０】
前記第一の流体および前記第二の流体が、弁を作動させることなく前記反応部位へと連続して移動される、請求項１に記載の方法。
【請求項１１】
前記第一の流体および前記第二の流体が、該第一の流体と該第二の流体とのいずれかの、前記反応部位への導入の互いに対する速度、順序、またはタイミングを制御するいずれのデバイスも作動させずに、該反応部位へと連続して移動される、請求項１に記載の方法。
【請求項１２】
前記方法が、電力を使用しない、請求項１に記載の方法。
【請求項１３】
前記デバイスが、微小流体デバイスである、請求項１に記載の方法。
【請求項１４】
前記容器が、ポリエチレン、ポリプロピレンまたはＰＴＦＥから構成される、請求項１に記載の方法。
【請求項１５】
抗体または抗原のうちの少なくとも一方が、前記反応部位に会合している、請求項１に記載の方法。
【請求項１６】
前記第一の流体および前記第二の流体が、第三の流体によって隔離されている、請求項１に記載の方法。
【請求項１７】
前記第三の流体が、気体または気体の混合物である、請求項１６に記載の方法。
【請求項１８】
前記第二の流体が、リンス溶液である、請求項１３に記載の方法。
【請求項１９】
前記第一の流体および前記第二の流体を前記反応部位に適用する前に、サンプルを前記デバイス中に配置する工程をさらに包含する、請求項１に記載の方法。
【請求項２０】
サンプルを前記容器内に配置する工程をさらに包含する、請求項１に記載の方法。
【請求項２１】
前記容器を前記デバイスに接続する前に、前記サンプルが該容器内に配置される、請求項２０に記載の方法。
【請求項２２】
前記第二の流体が、第三の流体と第四の流体とを混合することによって生成される、請求項１に記載の方法。
【請求項２３】
前記第四の流体が、前記第三の流体と反応する、請求項２２に記載の方法。
【請求項２４】
前記第三の流体と前記第四の流体とが、前記容器を前記デバイスに接続した後に混合される、請求項２２に記載の方法。
【請求項２５】
前記容器が、シールを備える、請求項１に記載の方法。
【請求項２６】
前記シールが、前記容器の開口部を溶融すること、キャップすること、または収縮させることによって作製される、請求項２５に記載の方法。
【請求項２７】
前記シールが、前記容器の開口部に不揮発性流体を挿入することによって作製される、請求項２５に記載の方法。
【請求項２８】
前記管が、少なくとも１０：１の、長さ対内径比を有する、請求項６に記載の方法。
【請求項２９】
前記管が、５ミリメートルより小さい内径を有する、請求項６に記載の方法。
【請求項３０】
前記管が、１ミリメートルより小さい内径を有する、請求項６に記載の方法。
【請求項３１】
前記管が、５００ミクロンより小さい内径を有する、請求項６に記載の方法。
【請求項３２】
前記管が、２００ミクロンより小さい内径を有する、請求項６に記載の方法。
【請求項３３】
前記管が、１００ミクロンより小さい内径を有する、請求項６に記載の方法。
【請求項３４】
前記流体のうちの１つが、金に結合した抗体を含む、請求項１に記載の方法。
【請求項３５】
前記流体のうちの１つが、金属前駆体を含む、請求項１に記載の方法。
【請求項３６】
前記反応部位に金属を無電解析出させて、不透明な材料を生成する工程をさらに包含する、請求項３５に記載の方法。
【請求項３７】
前記不透明な材料の吸光度または光の透過率を決定する工程をさらに包含する、請求項３６に記載の方法。
【請求項３８】
金属を無電解析出させる工程、および該金属の電気的特性を決定する工程をさらに包含する、請求項３５に記載の方法。
【請求項３９】
装置であって、以下：
シールされた容器；
該容器内に配置された第一の静止流体；
該容器内に配置された第二の静止流体；および
該容器内に配置された第三の静止流体であって、該第三の流体は、該第一の流体と該第二の流体とを隔離しており、そして少なくとも該第一の流体および該第二の流体は、所定の順序で所定の化学反応または生化学反応において使用するために選択され、そして該容器、ならびに該第一の流体、該第二の流体、および該第三の流体は、該流体が該容器内で互いに対して所定の位置を維持しながら、該流体が該所定の化学反応または生化学反応に関与する能力を損なわずに、該容器および該容器内に配置される流体が少なくとも１日間貯蔵され得るように、かつ通常の梱包条件および搬送条件下で取り扱われ得るように選択される、装置。
【請求項４０】
前記第一の流体および前記第二の流体が、液体である、請求項３９に記載の装置。
【請求項４１】
前記第三の流体が、気体または気体の混合物である、請求項３９に記載の装置。
【請求項４２】
前記第三の流体が、空気である、請求項４１に記載の装置。
【請求項４３】
前記第三の流体が、窒素である、請求項４１に記載の装置。
【請求項４４】
さらなる異なる流体をさらに備える、請求項３９に記載の装置。
【請求項４５】
前記さらなる異なる流体が、前記第一の流体または前記第二の流体のいずれかと同じ型の流体である、請求項４４に記載の装置。
【請求項４６】
前記第一の流体または前記第二の流体のうちの少なくとも一方が、化学薬剤または生化学薬剤を含有する、請求項３９に記載の装置。
【請求項４７】
前記第一の流体または前記第二の流体のうちの少なくとも一方が、リンス溶液を含有する、請求項３９に記載の装置。
【請求項４８】
前記第一の流体、前記第二の流体、および前記第三の流体が、前記容器および該容器内に配置される流体が、少なくとも１週間にわたって貯蔵され得るように選択される、請求項３９に記載の装置。
【請求項４９】
前記第一の流体、前記第二の流体、および前記第三の流体が、前記容器および該容器内に配置される流体が、少なくとも１ヶ月間にわたって貯蔵され得るように選択される、請求項３９に記載の装置。
【請求項５０】
前記第一の流体、前記第二の流体、および前記第三の流体が、前記容器および該容器内に配置される流体が、少なくとも１年間にわたって貯蔵され得るように選択される、請求項３９に記載の装置。
【請求項５１】
前記容器が、ポリマー材料から構成されている、請求項３９に記載の装置。
【請求項５２】
前記ポリマー材料が、ポリエチレン、ポリプロピレン、およびＰＴＦＥから選択される、請求項５１に記載の装置。
【請求項５３】
前記第一の流体および前記第二の流体のうちの少なくとも一方が、生物学的アッセイまたは化学アッセイに関与し得る種を含有する、請求項３９に記載の装置。
【請求項５４】
前記第一の流体および前記第二の流体のうちの少なくとも一方が、生物学的アッセイに関与し得る種を含有し、そして前記第三の流体が、該アッセイに対して不活性であり、そして該第一の流体と該第二の流体とを隔離し、そして該第一の流体と該第二の流体とが混合することを防止するように選択される、請求項３９に記載の装置。
【請求項５５】
前記容器が、少なくとも１０：１の長さ対内径比を有する管である、請求項３９に記載の装置。
【請求項５６】
前記管が、旋回する、請求項５５に記載の装置。
【請求項５７】
前記容器が、熱シール可能である、請求項３９に記載の装置。
【請求項５８】
方法であって、以下：
第一の流体を容器内に流す工程；
第二の流体を該容器内に流す工程であって、該第二の流体が、該第一の流体と実質的に非混和性である、工程；
第三の流体を該容器内に流す工程であって、該第三の流体は、該第二の流体と実質的に非混和性であり、そして該第三の流体は、該第一の流体と接触しない、工程；
該流体を該容器に封じ込める工程；および
該シールされた容器を、１日間より長時間貯蔵する工程、
を包含する、方法。
【請求項５９】
前記容器が、管を備える、請求項５８に記載の方法。
【請求項６０】
前記第一の流体および前記第三の流体の各々が、前記容器内で流体プラグを形成する、請求項５８に記載の方法。
【請求項６１】
前記容器内にさらなる流体プラグを形成する工程をさらに包含する、請求項６０に記載の方法。
【請求項６２】
前記第一の流体および前記第三の流体が、液体であり、そして前記第二の流体が、気体または気体の混合物である、請求項５８に記載の方法。
【請求項６３】
前記第一の流体および前記第三の流体のうちの少なくとも一方が、化学薬剤または生化学薬剤を含有する、請求項６２に記載の方法。
【請求項６４】
前記第一の流体および前記第三の流体のうちの少なくとも一方が、生化学薬剤である、請求項６３に記載の方法。
【請求項６５】
前記管が、ポリマーから構成されている、請求項５９に記載の方法。
【請求項６６】
前記管の長さ対該管の内径の比が、少なくとも１０：１である、請求項６５に記載の方法。
【請求項６７】
前記管が、旋回する、請求項６５に記載の方法。
【請求項６８】
装置であって、以下：
チャンバを備えるシールされた容器であって、該チャンバは、連続的な間隙を規定し、該連続的な間隙は、第一の流体および第二の流体を収容し、該第一の流体および該第二の流体は、所定の化学反応または生化学反応において連続的に使用するために、該容器から別々に送達可能であるように構成および配置されており、該シールされた容器は、該第一の流体および該第二の流体を該所定の化学反応または生化学反応において使用する前に少なくとも１時間、該第一の流体および該第二の流体を貯蔵するために構成および配置されている、容器、
を備える、装置。
【請求項６９】
前記シールされた容器が、前記第一の流体および該第二の流体を前記所定の化学反応または生化学反応において使用する前に少なくとも１日間、該第一の流体および該第二の流体を貯蔵するために構成および配置されている、請求項６８に記載の装置。
【請求項７０】
前記シールされた容器が、前記第一の流体および該第二の流体を前記所定の化学反応または生化学反応において使用する前に少なくとも１週間、該第一の流体および該第二の流体を貯蔵するために構成および配置されている、請求項６８に記載の装置。
【請求項７１】
前記シールされた容器が、前記第一の流体および該第二の流体を前記所定の化学反応または生化学反応において使用する前に少なくとも１年間、該第一の流体および該第二の流体を貯蔵するために構成および配置されている、請求項６８に記載の装置。
【請求項７２】
前記シールされた容器が、第一の位置から第二の位置へと輸送されるように構成および配置されている、請求項６８に記載の装置。
【請求項７３】
請求項６８に記載の装置を提供する工程、および該装置を１日間より長く貯蔵する工程を包含する、方法。
【請求項７４】
前記装置が、４℃以下の温度で貯蔵される、請求項７３に記載の方法。
【請求項７５】
前記流体のうちの少なくとも１つが、凍結している、請求項７３に記載の方法。
【請求項７６】
アッセイキットであって、以下：
微小流体チャネルを備える表面；
該微小流体チャネルの一部に会合している、抗体または抗原のうちの少なくとも１種；
容器；
該容器内に配置された第一の静止流体であって、該第一の静止流体は、抗体または抗原に会合した金属コロイドを含有する、第一の静止流体；
該容器内に配置された第二の静止流体であって、該第二の静止流体は、金属前駆体を含有する、第二の静止流体；
該容器内の第三の静止流体であって、該第三の流体は、該第一の流体と該第二の流体とを隔離している、第三の静止流体；および
該アッセイを実施するための指示書、
を備える、アッセイキット。
【請求項７７】
前記容器が、前記表面上に配置されている、請求項７６に記載のアッセイキット。
【請求項７８】
前記容器が、前記微小流体チャネルと流体連絡して配置され得るように構成および配置されている、請求項７６に記載のアッセイキット。
【請求項７９】
方法であって、以下：
第一の流体および第二の流体を提供する工程であって、該第一の流体および該第二の流体は、共通の容器内で互いから隔離されて、１分間より長時間静止して維持される、工程；
該第一の流体および該第二の流体を、反応部位に連続的に適用する工程；ならびに
少なくとも、該第一の流体および該第二の流体が該反応部位に適用される後まで、該第一の流体と該第二の流体との間の接触を回避する工程、
を包含する、方法。
【請求項８０】
前記第一の流体および前記第二の流体が、１日間より長時間静止して維持される、請求項７９に記載の方法。
【請求項８１】
前記第一の流体および前記第二の流体が、隔離されている、請求項７９に記載の方法。
【請求項８２】
前記第一の流体の成分が、前記反応部位と会合し、そして前記第二の流体の成分が、該第一の流体の成分と会合する、請求項７９に記載の方法。
【請求項８３】
方法であって、以下：
第一の流体および第二の流体を提供する工程であって、該第一の流体および該第二の流体は、共通の容器内で、互いから隔離されて維持されている、工程；
該第一の流体および該第二の流体を、該容器から、所定の化学反応または生化学反応を実施するための反応部位へと連続的に移動させる工程；
少なくとも、該第一の流体および該第二の流体が該反応部位に適用される後まで、該第一の流体と該第二の流体との間の接触を回避する工程；
該第一の流体の成分を、該反応部位と会合させる工程；ならびに
該第二の流体の成分を、該第一の流体の成分と会合させる工程、
を包含する、方法。
【請求項８４】
前記第一の流体および前記第二の流体を、前記共通の容器内で静止させて維持する工程をさらに包含する、請求項８３に記載の方法。
【請求項８５】
前記第一の流体および前記第二の流体が、少なくとも第三の流体によって隔離されている、請求項８３に記載の方法。
【請求項８６】
前記第一の流体が、抗体または抗原のうちの一方を含有し、そして前記第二の流体が、抗体または抗原のうちの他方を含有する、請求項８３に記載の方法。
【請求項８７】
前記第一の流体が、金に結合した抗体を含有し、そして前記第二の流体が、金属前駆体を含有する、請求項８３に記載の方法。
【請求項８８】
前記第一の流体が、抗体を含有し、そして前記第二の流体が、信号発生実体を含有する、請求項８３に記載の方法。
【請求項８９】
前記第一の流体および前記第二の流体を、前記容器から前記反応部位へと、該容器の構成要素の作用なしに適用する工程を包含する、請求項７９に記載の方法。
【請求項９０】
前記第一の流体および前記第二の流体を、前記容器から前記反応部位へと、該容器へのガス圧の付与および／または該反応部位のハウジングへの減圧の付与を介して適用する工程を包含する、請求項７９に記載の方法。